(57)【要約】【解決手段】  この発明は、その中に第１管状体（１）の区分が、第２管状体（２）から離れて、加圧流体密の方法で挿入され、前記第１管状体（１）に面する第２管状体（２）の区分は、弁収容部材（３）に固定されており、そして前記第２管状体（２）に面する前記第１管状体（１）の区分は、前記第２管状体（２）に挿入されており、さらに前記第１管状体（１）は、前記第２管状体（２）の止め表面に支持され、それによって、簡素な、流体密な管状接続が設けられる。
2006516703.tif 000002
【特許請求の範囲】
【請求項１】
アーマチャー、磁心部、弁閉塞部材、および弁座を収容する弁ハウジングを有し、前記ハウジングは、第１および第２管状体から形成されており、前記２つの管状体は、相互に断面で結合され接続部を有するそれらの端部を有し、前記第２管状体から離れて前記第１管状体の区分が圧力流体密の方法で挿入される弁収容部材を有し、前記第１管状体から離れる前記第２管状体の区分は、この弁収容部材の外側に磁気コイルを有するものにおいて、前記第１管状体１に面する第２管状体２の区分は、前記弁収納部材３に固定され、前記第２管状体２に面する第１管状体１の区分は、前記第２管状体２に挿入され、前記第２管状体２の止め表面６に向かっていることを特徴とする電磁弁。
【請求項２】
前記弁収容部材に面する前記第２管状体２の端部は、外方に放射状に向かい、かつ前記弁収容部材の段状穴５内に固定されるビードを有することを特徴とする前記請求項１記載の電磁弁。
【請求項３】
前記ビードは、前記ビード４を取り囲む弁収容部材３の材料の柔軟な変形によって前記段状穴５内に取付けられることを特徴とする前記請求項２記載の電磁弁。
【請求項４】
止め表面６を造るために、前記第２管状体２は、両管状体１、２の結合部８の領域における第１管状体１の外径よりも小さく選択される結合部８の端部における内径を有するハウジング段７を具備することを特徴とする前記請求項１記載の電磁弁。
【請求項５】
前記ハウジング段７は、第２管状体２の開放端から離れて配置される結合部８の端部領域における第２管状体２の柔軟な変形によって造られることを特徴とする前記請求項４記載の電磁弁。
【請求項６】
前記ハウジング段７は、前記結合部８の端部領域においてダブルクランクによって造られることを特徴とする前記請求項５記載の電磁弁。
【請求項７】
前記第１および第２管状体１、２は、前記結合部８におけるプレス嵌めによって相互に連結する薄壁の深絞り筒からなることを特徴とする前記請求項４記載の電磁弁。
【請求項８】
前記第１管状体１は、圧力流体密の方法で弁収容部材３の段状穴５における結合部８から離れてその端部で支持され、第１管状体１と段状穴５の底との間の軸方向距離Ｘは、前記結合部分８の領域における両管状体１、２の重なり合いの長さよりも短いことを特徴とする前記請求項４記載の電磁弁。
【請求項９】
ハウジング段７およびまたはビード４は、前記弁収容部材３における第２管状体２の組立ておよびかしめのために、前記ハウジング段７における内側肩部２０およびまたは前記ビード４における外側肩部２１で支持される中空筒状かしめ器具１９を受け入れることを特徴とする前記請求項５記載の電磁弁。
【請求項１０】
前記かしめ器具１９の外周は、それに近接して平坦な外側肩部２１の方向における円錐状部２４である２つのハウジング段２２、２３を有し、また前記第２ハウジング段２３が使用されて、前記円錐状部２４の方向において、弁収容体３の穴段に材料を移動することを特徴とする前記請求項９記載の電磁弁。
【請求項１１】
前記弁閉塞部材１１と対応するさらなる弁収容部材２５を収容する目的のために、第１管状体１の内径は、さらなる弁閉塞部材２５の外径に対して少なくとも断面に適合することを特徴とする前記請求項１記載の電磁弁。
【請求項１２】
前記さらなる弁閉塞部材２５は、その基本位置に圧縮スプリング１４の作用によってシールする方法で弁座１２に対して押圧したボウル底部を有する前記第１管状体１に案内された筒状ボウルを形成することを特徴とする前記請求項１１記載の電磁弁。
【請求項１３】
前記ボウル底部は、さらなる弁座２６によって境界を定められ、前記弁の基本位置における弁閉塞部材１１によって閉塞される前記開口２７を囲むことを特徴とする前記請求項１２記載の電磁弁。
【請求項１４】
前記第１管状体１は、前記スプリング止め２８と前記さらなる弁閉塞部材２５との間に圧縮されるさらなる圧縮スプリング２９を支持するスプリング止め２８を有し、さらに前記さらなる圧縮スプリング２９は、前記アーマチャー９と磁心部１０との間に挿入される圧縮スプリング１４に反作用することを特徴とする前記請求項１１記載の電磁弁。
【請求項１５】
前記ボウル底部から離れてその筒状端における前記さらなる弁閉塞部材２５は、前記さらなる圧縮スプリング２９の一端が支持されるカラー３０を形成するように放射状に外方に斜めに曲げられていることを特徴とする前記請求項１４記載の電磁弁。
【請求項１６】
スプリング止め２８は、段のように圧縮された第１管状体１の肩部の方法によって直接形成されることを特徴とする前記請求項１４記載の電磁弁。
【請求項１７】
前記スプリング止め２８は、前記第１管状体１に個別に挿入される案内筒として、または、前記さらなる弁閉塞部材２５がそれを通して前記弁座１２の方向に延びる平坦な円板として、設計されることを特徴とする前記請求項１４記載の電磁弁。
【発明の詳細な説明】
【発明の技術分野】
【０００１】
この発明は、特許請求項１の前文による電磁弁に関する。
【背景技術】
【０００２】
ドイツ特許公開ＤＥ１９９２８７５０Ａ１は、基本位置において閉じているタイプの構造の電磁弁を開示しており、それらの２つの管状体は、溶接されまたは折り込まれることによって弁ハウジングを形成している。この作業のために要求される製造の労力は、比較的に高い。
【発明の開示】
【発明が解決しようとする課題】
【０００３】
この発明の目的は、これら２つの管状体間の溶接または折曲げ結合の必要がないように、これまでに述べられたタイプの電磁弁を最少の可能な労力と組立てで製造することである。
【発明の構成】
【０００４】
この発明によれば、この目的は、特許請求項１の特徴づけられた特徴によって、指摘されたタイプの電磁弁のために達成される。
【０００５】
この発明のさらなる特徴、利点、および可能性ある応用は、従属請求項および以下に続く数個の実施例の記述の中で理解することができる。
【０００６】
付属の図面において、図１は、その基本位置において閉塞される電磁弁を通って得られた、相当に拡大した図において長手方向断面を示している。この電磁弁は、アーマチャー９、磁心部１０、弁閉塞部材１１、および弁座１２を収容する弁ハウジングを有し、このハウジングは、第１および第２管状体１、２から形成され、前記２つの管状体１、２は、相互にそれらの面する開口端を断面で同軸的に結合されている。電磁弁は、ブロック形状の弁収容部材３内に固定され、その弁収容部材内に、第１管状体１の管状区分が、第２管状体２から離れて、圧力流体密の方法で挿入される。第１管状体１から離れて第２管状体２の管状体区分は、弁収容部材３の外側に磁気コイル１３を有する。この磁気コイル１３は、プラグ形磁心部１０に沿って延び、この磁心部１０は、弁収容部材３から突出する第２管状体２の端部を閉じている。
【０００７】
弁閉塞部材１１を有し、第２管状体２の内壁に沿って延びるアーマチャーは、磁心部１０と第１のボウル形管状体１の底部に配置弁座１２との間に挿入されている。磁心部１０とアーマチャー９との間に圧縮された圧縮スプリング１４の効果のために、アーマチャー９の端部内にボールとしてプレス嵌めされる弁閉塞部材１１は、図における初期の位置において弁座１２内の圧力流体開口を閉塞する。弁座１２は、好ましくは、精密ではあるが低コストの方法で、深絞りの第２管状体２のボウル底部内に打抜き操作で形成される。第２管状体２の周表面は、弁収容部材３を貫通する横方向溝１５に他の開口１７を有し、この開口１７は、弁座１２の開口１６として正確に打抜き操作で形成される。第２管状体のビード４における段状穴５内であって、第１管状体１の開口１７の下方に支持されているリングフィルタ１８は、横方向溝１５の方向からのアーマチャーチャンバ内への埃の侵入を阻止する。段状穴５内に弁座１２の下方に開口する溝は、また、そのように所望するか、または必要であるならば、フィルタが設けられる。
【０００８】
この発明は、第１管状体１に面する第２管状体の区分が、弁収容部材３に直接固定されること、および、第２管状体１に面する第１管状体の区分が、第２管状体２に内に挿入され、かつ第２管状体２の止め表面に支持されることを整える。このことは、単一の弁部を有する２つの管状体１、２が、動作可能であるようにその中に予備組立てされるが、溶接または折込み接続の必要性なしに、かしめ器具１９によって段状穴５内に単純にプレス嵌めされるので、弁収容部材３内の第１管状体１および第２管状体２の、特に簡素な、流体密な、安全な接続を可能にする。
【０００９】
管状体２の非常に単純な固定は、弁収容部材３に面する第2管状体２の端部が、外方に放射状に向けられて、弁収容部材の段状穴５内に留められる、例えばフランジの形状のビード４を有するときに達成される。完全に流体密であり、段状穴５内におけるビード４の離脱できない取付けが、少なくともその縁部に沿ってビード４を包囲するかしめ器具１９を用いて、弁収容部材３の材料の柔軟な変形によって供与される。
【００１０】
止め表面６を造るために、第２管状体２は、結合部８の領域において、第１管状体１の外径よりも小さくなるように選択される両管状体１、２の結合部８の端部における内径を有するハウジング段７を具備する。同様に、ハウジング段７は、結合部８の端部領域における第２管状体２の柔軟な変形によって、低コストで製造される。
【００１１】
第１および第２管状体１、２は、結合部８におけるプレス嵌めによって相互に連結される薄壁の深絞り筒からなる。
【００１２】
結合部８における２つの管状体１、２の充分な重なりが、例え、第１および第２管状体１、２間のプレス嵌め接続が緩んだとしても、安全装置の動作可能性のために維持されるように、結合部８の領域内における両管状体１、２の重なりの長さＬよりも小さい第１管状体１のボウル底部と段状穴５の底部との間の軸方向距離Ｘをもって、第１の、ボウル形状の管状体１は、圧力流体密の方法で弁収容部材３の段状穴５における第２管状体２内の結合部８から離れて、その端で支持される。
【発明を実施するための最良の形態】
【００１３】
弁収容部材３における組立ての間の電磁弁は、図１、図２における例証とは異なり、そのために、中空の筒状かしめ器具１９が第２管状体２上を摺動して、その内周辺で、ハウジング段７の内側肩２０によって、そしてビード４の外側肩２１によって支持される。かしめ器具１９の外側周は、平坦な外側肩２１の方向に円錐状部２４に近接する２つのハウジング段２２、２３を有する。その結果は、段状穴５の方向にその外側径内に減少し、最終的に同様に、第１ハウジング段２２が段状穴５の変形のないハウジング部分に当接するまで、第２ハウジング段２３によって、円錐状部２４の方向に弁収容部材３の穴段の材料を移動するかしめ器具１９である。第１ハウジング段２２が段状穴５の変形されないハウジング部分に当接するときには、図１に例証されるように、ビード４において円錐状のかしめられたポイントが達成され、弁収容部材３を有する電磁弁の流体密な、強固な接続を確実にする。
【００１４】
図３および４は、基本位置において閉塞されている電磁弁を通って得られる長手方向の断面図の相当の拡大図をそれぞれの場合において示している。アーマチャー９、磁心部１０、２つの弁閉塞部材１１、２５、および２つの弁座１２、２６を有する前記弁のハウジングは、第１および第２管状体１、２からなり、この２つの管状体１、２は、相互に面するそれらの開口端で、相互内に断面同軸的にプレス嵌められる。さらに、すべての他の引用された単一の部分は、また、弁ハウジング内に規定された順序で同軸的に配置されることは、注目すべきである。
【００１５】
図３、４に例証されている電磁弁は、第１管状体１から離れている第１管状体１の管状区分が圧力流体密であるように挿入されるブロック形状の弁収容部材３内に固定される。第１管状体１から離れる第２管状体の管状区分は、弁収容部材３の外側に磁気コイル１３を有している。前記磁気コイル１３は、弁収容部材３から突出する第２管状体２の端部を閉塞するプラグ形状の磁心部１０に沿って延びている。弁閉塞部材１１を有し、第２管状体２の内側壁に沿って案内されるアーマチャー９は、磁心部１０と第１のボウル形状の管状体１との間に挿入される。磁心部１０とアーマチャー９との間に圧縮された圧力スプリング１４の効果のために、タペットを有し、アーマチャー９の開放端内にプレス嵌めされた球状の弁閉塞部材１１は、図面に示されるような基本位置において他の弁閉塞部材２５のオリフィス形開口２７を閉塞し、そのボウル底部内には、いわゆるさらなる弁座２６が開口２７の境界を定めるように配置される。弁座２６は、弁閉塞部材２５のボウル底部内に、好ましくは低コストでかつ精密な方法で打抜き操作で適合される。
【００１６】
いわゆるさらなる弁閉塞部材２５は、薄いシートから深絞りされ、かつ要求されるならば熱処理もされる第１管状体１内に軸方向に可動である筒状ボウルで構成される。その筒状のボウル底部は、弁閉塞部材２５（ある意味では弁ピストンの機能において）の適切な機能を担う。それはシールする方法で第１管状体１内に固定される弁座１２に対して押圧される。そのことは基本位置に圧縮スプリング１４の力の作用でなされる。
【００１７】
図３および４の実施例から得られるのは、第１管状体１の内径が精密な収容の目的のためにさらなる弁閉塞部材２５の少なくとも断面で外径に適合され、弁閉塞部材１１と対応するさらなる弁収容部材２５の案内である。この配置において、要求されるのは、第１管状体１とボウル形状の弁閉塞部材２５との間の充分に大きいクリアランス嵌めを提供して、さらなる弁閉塞部材２５が、クランプしない方法で移動し、弁座１２においてそれ自身を中央に位置することができることである。
【００１８】
図３において、弁１２は、重量のある弁板として設計されており、その弁板は、別個に操作されるようにされ、図２における代りに低コストで精密な方法で、深絞りされた第１管状体１の底部において直接に打抜き操作で形づくられる。
【００１９】
図３および４において、第１管状体１の周面は、弁収容部材３内に横方向に開口する横方向溝１５の水準における数個の開口１７を有する。開口１７は、弁閉塞部材２５のボウル底部に配置されたオリフィス形の開口２７として、正確に打抜き操作で製造される。第２管状体２のビード４の段状穴５内であって、第１管状体における開口１８の下方に支持されたリングフィルタ１８は、横方向溝１５の方向から弁ハウジング内に埃が侵入することを防止する。もちろん、もし所望するか、要求されるのであれば、弁座１２の下方に段状穴５内への溝開口は、フィルタを設けることができる。
【００２０】
図３および４において、第１管状体１に面する第２管状体２の区分は、弁収容部材３に直接固定され、第２管状体２に面する第１管状体１の区分は、第２管状体２内にプレス嵌めで挿入され、第２管状体の止め表面６に支持される。このことは、弁収容部材３内の第１管状体１及び第２管状体２の間の格別に単純かつ流体密な安全な接続を可能にする。なぜならば、単一の弁部分に加えて２つの管状体１、２は、動作されるようにその中に予め組立てられ、溶接または折り曲げ接続の必要性なしに、かしめ器具によって、段状穴５内にまっすぐにプレス嵌めされる。
【００２１】
さらに、スプリング止め２８が、他の圧縮スプリング２９を支持するための両例証における第１管状体１に設けられる。図面によれば、そのさらなる圧縮スプリング２９は、さらなる圧縮スプリング２９が圧縮スプリング１４に単純な方法で反作用するように、スプリング止め２８とさらなる弁閉塞部材２５との間に圧縮され、圧縮スプリング１４はアーマチャー９と磁心部１０との間に挿入される。
【００２２】
単純な方法で弁閉塞部材２５にさらなる圧縮スプリング２９の一端を支持することができるために、ボウル底部から離れて弁閉塞部材２５の筒状端部は、第１管状体１に向って放射状に外方に斜めに曲げられて、カラー３０を形成する。
【００２３】
図３の実施例においては、スプリング止め２８は、深絞り工程のステップのように締付けられた第１筒状体１の肩部によって直接格別に高価でない方法で製造される。
【００２４】
他方、図４の実施例におけるスプリング止め２８は、好ましくは、第１筒状体１内に別個に挿入される薄壁の深絞り案内筒のように設計される。その底部筒端において、それを介してさらなる弁閉塞部材２５は、弁座１２の方向に延びており、案内筒は、その筒の長手方向軸の方向にクランク状に曲った端部を有し、その端部に圧縮スプリング２９の一端が当接する。両管状体１、２の重なり合う領域において、筒形状のスプリング止めが、弁ハウジングにおけるスプリング止め２８を適切に中央に配置するために、自由な間隔の方法で第１管状体１の内壁に当接する案内部を有する。
【００２５】
案内筒の代りに、平坦な円板形状における挿入部材としてスプリング止め２８を設計することは、代って実行可能である。
【００２６】
要約すると、作り易い部品の最小の可能な数量を使用することによって、２段式の弁として、特にスペース節約の方法で電磁弁を形づくるために、第１筒状体１の領域において電磁弁の熟達した寸法どりが、最適な構造上の条件を達成することができるということが述べられているといえる。
【００２７】
これは、電磁弁が、弁閉塞部材１１と主段と同様のさらなる弁座２６とから形成される供給制限段を有するからである。アーマチャー９の電磁的励起時に、その供給制限段は、オリフィスタイプの開口２７が弁閉塞部材１１によって開放される結果、（さらなる）弁座２６から持上げられる弁閉塞部材１１のために、効果的である。無制限の主段は、主にボウル底部によって形成された弁閉塞部材２５が、圧縮スプリング２９の作用によって弁座１１から持上げられ、それによって開口１６の大きな流れ断面が開口されるように、供給制限段が開口されて、力のバランスにおいて圧縮スプリング２９によって及ぼされる弁開口力が、弁閉塞部材２５に作用する流体の力を超えるときにのみ効果的である。
【図面の簡単な説明】
【００２８】
【図１】弁収容部材の段状穴内にかしめられる電磁弁を通って得られた長手方向の断面図。
【図２】弁収納部材内におけるかしめ器具によるかしめ操作前の図１の電磁弁の図。
【図３】第１管状体内に直接案内される、さらなる弁閉塞部材を有する２段弁として形成され電磁弁を通って得られた長手方向断面図。
【図４】管状体内に別個に挿入されたスプリング止め内に案内される、さらなる弁閉塞部材を有する２段弁として形成される電磁弁を通って得られた長手方向断面図。
【符号の説明】
【００２９】
１、２…管状体、  ３…弁収容部材、  ４…ビード、  ５…段状穴、  ６…止め表面、  ７、２２、２３…ハウジング段、  ８…結合部、  ９…アーマチャー、  １０…磁心部、  １１、２５…弁閉塞部材、  １２、２６…弁座、  １３…磁気コイル、  １４、２９…圧縮スプリング、  １５…横方向溝、  １６、１７、２７…開口、  １８…リングフィルタ、  １９…かしめ器具、  ２０…内側肩部、  ２１…外側肩部、  ２４…円錐状部、  ２８…スプリング止め、  ３０…カラー
【図１】
2006516703.tif 000003
【図２】
2006516703.tif 000004
【図３】
2006516703.tif 000005
【図４】
2006516703.tif 000006